(57)【要約】      （修正有）【課題】ゴルフボールにパッティング時にスイングの方向付けを行なうためのラインをマーキングする際簡便な方法で行なえるようにする。【解決手段】軟質透明フィルム１０の一面に離型層１１を形成し、ここに前記ラインＬに該当する形状のマーカーＭを離型可能にカラー印刷し、マーカーＭの表面には接着剤１２を、マーカー周辺の透明フィルム面には粘着剤１３を塗布して接着性を付与し、前記接着剤１２と粘着剤１３の塗布された面に、マーカーと共に被覆されるように離型紙２０を密着してバンド形態に製作する。【選択図】図１
2007190355.tif 000002
【特許請求の範囲】
【請求項１】
ゴルフボールの外周面中央部にボールの方向性を肉眼で予測できるように適当な長さのライン（Ｌ）を形成するためのものにおいて、
適当な大きさでなった軟質透明フィルム（１０）の一面に離型層（１１）を形成し、ここに前記ライン（Ｌ）に該当する形状のマーカー（Ｍ）を離型可能にカラー印刷し、マーカー（Ｍ）の表面には接着剤（１２）を、マーカー周辺の透明フィルム面には粘着剤（１３）を塗布して接着性を付与し、前記接着剤（１２）と粘着剤（１３）の塗布された粘着面に、マーカーと共に被覆されるように離型紙（２０）を密着してなった構成を有することを特徴とするゴルフボールのラインマーキング用バンド。
【請求項２】
前記透明フィルム（１０）が、離型層（１１）に多数のマーカー（Ｍ）が均一な間隔で配置されるように形成され、離型紙（２０）で被覆され、前記各マーカー（Ｍ）の間に位置する透明フィルム（１０）と離型紙（２０）の接合された部位に、マーカーを個々に分離可能に切取部（３０）が形成されていることを特徴とする請求項１に記載のゴルフボールのラインマーキング用バンド。
【請求項３】
ゴルフボールの外周面中央部にボールの方向性を肉眼で予測できるように適当な長さのライン（Ｌ）を形成するためのものにおいて、
適当な大きさでなった軟質透明フィルム（１０）を準備し、その一面に離型層（１１）を形成する段階と、前記離型層（１１）に前記ライン（Ｌ）に該当する形状でなった多数のマーカー（Ｍ）を均一な間隔で配置して離型可能にカラー印刷する段階と、前記マーカー（Ｍ）の表面には接着剤（１２）を、マーカー周辺の透明フィルム面には粘着剤（１３）を塗布して接着性を付与する段階と、前記接着剤（１２）と粘着剤（１３）の塗布された粘着面と共にマーカー（Ｍ）が被覆されるように離型紙（２０）を密着させる段階と、前記透明フィルム（１０）の離型層（１１）に印刷された各マーカー（Ｍ）が分離されるように、各マーカーの間に位置する透明フィルム（１０）と離型紙（２０）の接合された部位に切取部（３０）を形成する段階とを有することを特徴とするゴルフボールのラインマーキング用バンド製造方法。
【請求項４】
前記透明フィルム（１０）の離型層（１１）に印刷されるマーカー（Ｍ）がシルクスクリーンインク印刷されていることを特徴とする請求項１に記載のゴルフボールのラインマーキング用バンド製造方法。
【請求項５】
前記マーカー（Ｍ）の表面接着剤（１２）と、マーカー周辺の透明フィルム面に塗布された粘着剤（１３）とがシルクスクリーン接着剤印刷されていることを特徴とする請求項１に記載のゴルフボールのラインマーキング用バンド製造方法。
【発明の詳細な説明】
【技術分野】
【０００１】
本発明は、ゴルフボールのラインマーキング用バンドとその製造方法、より詳細には、ゴルフボールの外周面中央部にボールの方向性を肉眼で予測できるように適当な長さのラインをマーキングするための方法において、軟質透明フィルムの一面に前記ラインに該当する形状のマーカーを離型可能にカラー印刷するのだが、マーカーの表面には接着剤を、そのマーカーの周辺には粘着剤を塗布し、前記接着及び粘着面が離型紙に密着されるように被覆してバンドを製造することによって、ラインをマーキングするための道具の携帯と使用を簡便にしたゴルフボールのラインマーキング用バンドとその製造方法に関するものである。
【背景技術】
【０００２】
一般的に、パッティンググリーンでホールに向かってゴルフボールをパッティングする時、パターのエッジ（ｅｄｇｅ）に形成された中心点がゴルフボールに触れるように打撃するのだが、ゴルフボールの外周面中央部位に適当な長さのラインをマーキングすることによって、パッティング時にゴルフボールの方向性を予測できるようになり、ホールイン可能性を高めることのできる方法が利用されている。
【０００３】
前記ゴルフボールにラインをマーキングするための方法として、まずマーキング位置を捕捉するために、ゴルフボールが受容されることのできるホルダーにボールの中央部位に相応して形成されたスリット溝を備えたライナーを使用してゴルフボールの外周面中央部を捕捉した後、前記スリット溝に沿ってボールペンやサインペンなどの筆記道具を使用して適当な長さの線を描くことになる。
【０００４】
従って、ゴルフボールにラインを形成するために、ゴルフボール専用のライナーと筆記道具などが必要となることによって、前記各道具を準備して携帯することになるため、ゴルファーに多大なる煩わしさと不便を与えることになり、これによって競技に対する集中度が低下されるなどの問題点があった。
【発明の開示】
【発明が解決しようとする課題】
【０００５】
本発明は、上記のように従来のゴルフボールにラインを形成する際に発生していた問題点を鑑みて案出されたもので、その目的は、ゴルフボールにラインを形成する時、その位置設定とマーキングを容易にするゴルフボールのラインマーキング用バンドとその製造方法を提供することにある。
【課題を解決するための手段】
【０００６】
このような目的を達成するための本発明は、適当な大きさでなった軟質透明フィルムの一面に離型層を形成し、ここに前記ラインに該当する形状のマーカーを離型可能にカラー印刷し、マーカーの表面には接着剤を、マーカー周辺の透明フィルム面には粘着剤を塗布して接着性を付与し、前記接着剤と粘着剤の塗布された面に、マーカーと共に被覆されるように離型紙を密着してバンド形態に制作することによって、ゴルフボールにマーキングされるラインを、シルクスクリーンインク印刷されたマーカーが接着されるようにして、シルク印刷をしたものと同一に鮮明なラインが得られることになり、マーキングするための道具の携帯と使用を簡便にしたものである。
【発明の効果】
【０００７】
このような本発明の方法によって製造されたゴルフボールのラインマーキング用バンドは、マーキングするためのラインの形態にマーカーをシルクスクリーンインク印刷した後、ゴルフボールの表面に付着されるようにすることによって、ラインを形成するための位置設定が容易であると同時に、マーキングするための道具の携帯と使用を簡便にすることができるという効果がある。
【発明を実施するための最良の形態】
【０００８】
以下、本発明のゴルフボールのラインマーキング用バンドとその製造方法（Ｂａｎｄ  ａｎｄ  ｉｔ’ｓ  ｍｅｔｈｏｄ  ｆｏｒ  ｌｉｎｅ  ｍａｒｋｉｎｇ  ｏｆ  ｇｏｌｆ  ｂａｌｌ）を添付の図面を参照して説明すると、次のとおりである。
【０００９】
図１及び図２は、本発明の方法によってなったゴルフボールのラインマーキング用バンドの分離状態と、その結合状態を示した斜視図で、図３は、前記ラインマーキング用バンドの結合状態を部分的に拡大した断面図で、図４は、前記ラインマーキング用バンドを個々に切り取る状態を示した斜視図で、図５は、前記個々に切り取られたラインマーキング用バンドから離型紙を分離する状態図で、図６ａ乃至６ｄは、本発明のラインマーキング用バンドの使用状態を各々示した斜視図である。
【００１０】
本発明のゴルフボールのラインマーキング用バンドは、ゴルフボールの外周面中央部にボールの方向性を肉眼で予測できるように適当な長さのラインＬを形成する時、そのラインの形態にシルクスクリーンインク印刷されたマーカーＭが接着されるようにして、シルク印刷をしたものと同一に鮮明なラインが得られることになり、ラインをマーキングするための方法を簡便にするのである。
【００１１】
つまり、適当な大きさでなった軟質透明フィルム１０を準備して、その一面に離型層１１を形成し、前記離型層１１にラインＬに該当する形状でなった多数のマーカーＭを均一な間隔で配置し、シルクスクリーンでカラーインク印刷するのだが、この時前記離型層１１は、印刷されたマーカーＭをゴルフボールに人為的に接着する時、透明フィルム１０から容易に分離されるようにする作用をする。
【００１２】
透明フィルム１０に多数のマーカーＭを印刷する理由は、個々にマーカーを印刷する場合に比べ作業性を向上させるためのもので、透明フィルムに一つのマーカーを印刷するのも可能である。
【００１３】
前記マーカーＭの表面には接着剤１２を、そのマーカー周辺の透明フィルム面には粘着剤１３を塗布して接着性を付与することになり、前記接着剤１２と粘着剤１３とはシルクスクリーン接着剤印刷方式で塗布される。前記マーカーの表面に塗布される接着剤１２は、ゴルフボールにマーカーを付着する時、接着力を高められるという点で好ましい。
【００１４】
透明フィルム１０に塗布された粘着剤１３の粘着面と共にマーカーＭの接着剤１２面に離型紙２０が密着されるように被覆して、異物質または空気との接触によるマーカーの変質を防止し、前記透明フィルム１０の離型層１１に印刷された多数のマーカーＭを分離することができるように、各マーカーの間に位置する透明フィルム１０と離型紙２０の接合された部位に切取部３０を形成する。
【００１５】
前記透明フィルム１０に形成された離型層１１の離型度は約３０％にするのだが、粘着剤１３の粘着面に被覆される離型紙２０の離型度は約７０％にし、前記離型紙２０を分離させて除去する時、透明フィルム１０の離型層に印刷されているマーカーＭが任意に分離される現象を防止すると共に、離型紙の除去を容易にする。
【００１６】
従って、前記のような方法で製造される本発明のゴルフボールのラインマーキング用バンドを使用する時は、図５に示したように、一つのバンドを準備して透明フィルム１０の粘着面を覆っている離型紙２０を分離除去することによって、透明フィルムの離型層に印刷されたマーカーＭが露出される。
【００１７】
離型紙２０が除去されて露出されたマーカーＭの表面接着剤１２と、その周辺の透明フィルムの表面には粘着剤１３が塗布されているので、前記マーカーをゴルフボールの外周面中央部に位置されるようにして透明フィルム１０と共にゴルフボールに付着することになり、ゴルフボールの表面に形成された凹凸部の構造的な特性を鑑みて、透明フィルム１０と共にマーカーＭがボールの表面に密着されるように繰り返し押した後、透明フィルム１０を除去することによって、その離型層１１に印刷されていたマーカーＭが分離されてゴルフボールの表面に接着されることになるので、図６ｄに示したように、ゴルフボールの表面中央に鮮明なラインＬが形成されることになる。
【００１８】
前記マーカーＭがゴルフボールに堅固に密着されるようにするために、マーカーの印刷された透明フィルム１０を延伸作用可能な素材にするのが好ましい。
【図面の簡単な説明】
【００１９】
【図１】本発明の方法によってなったゴルフボールのラインマーキング用バンドの分離状態と、その結合状態を示した斜視図である。
【図２】本発明の方法によってなったゴルフボールのラインマーキング用バンドの分離状態と、その結合状態を示した斜視図である。
【図３】前記ラインマーキング用バンドの結合状態を部分的に拡大した断面図である。
【図４】前記ラインマーキング用バンドを個々に切り取る状態を示した斜視図である。
【図５】前記個々に切り取られたラインマーキング用バンドから離型紙を分離する状態図である。
【図６ａ】本発明のラインマーキング用バンドの使用状態を各々示した斜視図である。
【図６ｂ】本発明のラインマーキング用バンドの使用状態を各々示した斜視図である。
【図６ｃ】本発明のラインマーキング用バンドの使用状態を各々示した斜視図である。
【図６ｄ】本発明のラインマーキング用バンドの使用状態を各々示した斜視図である。
【符号の説明】
【００２０】
１０  透明フィルム
１１  離型層
１２  接着剤
１３  粘着剤
２０  離型紙
３０  切取部
Ｌ    ライン
Ｍ    マーカー
【図１】
2007190355.tif 000003
【図２】
2007190355.tif 000004
【図３】
2007190355.tif 000005
【図４】
2007190355.tif 000006
【図５】
2007190355.tif 000007
【図６ａ】
2007190355.tif 000008
【図６ｂ】
2007190355.tif 000009
【図６ｃ】
2007190355.tif 000010
【図６ｄ】
2007190355.tif 000011